(57)【要約】
【課題】簡便な寝具を用いて深い眠りを実現する手段を提供する。
【解決手段】本考案の安眠蒲団シートは、２枚の和紙と、トルマリン粒子、シリカゲル粒子、および脱臭剤粒子から構成されてなり、該２枚の和紙が熱圧着されて封入部を形成し、該トルマリン粒子、シリカゲル粒子、および脱臭剤粒子が該封入部の内部に封じ込められていることを特徴とする。好ましい態様は以下のとおりである。前記和紙が手すきして得られた紙である。前記封入部の形状が正方形である。前記封入部が縦５列、横１４列に配置されている。前記正方形の１つの辺が３〜５ｃｍである。また、本考案の袋入り安眠蒲団シートは、前記した安眠蒲団シートを布製の袋に格納していることを特徴とする。前記封入部が縦１０列、横１４列に配置されるように、前記した安眠蒲団シートを２枚並置した状態で布製の袋に格納している。前記袋の下面に滑り止め用の材料が塗布されている。
【選択図】図１
0003101285.tif 000002
【実用新案登録請求の範囲】
【請求項１】
２枚の和紙と、トルマリン粒子、シリカゲル粒子、および脱臭剤粒子から構成されてなり、
該２枚の和紙が熱圧着されて封入部を形成し、
該トルマリン粒子、シリカゲル粒子、および脱臭剤粒子が該封入部の内部に封じ込められていることを特徴とする安眠蒲団シート。
【請求項２】
前記和紙が手すきして得られた紙である請求項１に記載の安眠蒲団シート。
【請求項３】
前記封入部の形状が正方形である請求項１に記載の安眠蒲団シート。
【請求項４】
前記封入部が縦５列、横１４列に配置されてなる請求項３に記載の安眠蒲団シート。
【請求項５】
前記正方形の１つの辺が３〜５ｃｍである請求項３に記載の安眠蒲団シート。
【請求項６】
請求項４に記載の安眠蒲団シートを布製の袋に格納してなることを特徴とする袋入り安眠蒲団シート。
【請求項７】
前記封入部が縦１０列、横１４列に配置されるように、請求項４に記載の安眠蒲団シートを２枚並置した状態で布製の袋に格納してなる袋入り安眠蒲団シート。
【請求項８】
前記袋の下面に滑り止め用の材料を塗布してなる請求項７に記載の袋入り安眠蒲団シート。
【考案の詳細な説明】
【技術分野】
【０００１】
本考案は、安眠蒲団シート及び袋入り安眠蒲団シートに関する。
【背景技術】
【０００２】
蒲団の中で就寝するにもかかわらず、「眠りが浅い」、「寝起きがすっきりしない」という不満を訴える人が多い。
【０００３】
一方、自然界で発生するマイナスイオンと同じ良質のマイナスイオンを大量に発生させて就寝に役立たせようという期待が上がっている。
【０００４】
しかしながら、これらの不満に答え、且つ、期待に添うだけのものがいまだに提供されていない。
【考案の開示】
【考案が解決しようとする課題】
【０００５】
本考案は、簡便な寝具を用いて深い眠りを実現する手段を提供することにある。
【課題を解決するための手段】
【０００６】
従って本考案の安眠蒲団シートは、
２枚の和紙と、トルマリン粒子、シリカゲル粒子、および脱臭剤粒子から構成されてなり、
該２枚の和紙が熱圧着されて封入部を形成し、
該トルマリン粒子、シリカゲル粒子、および脱臭剤粒子が該封入部の内部に封じ込められていることを特徴とする。
【０００７】
好ましい態様は以下のとおりである。
【０００８】
前記和紙が手すきして得られた紙である。
【０００９】
前記封入部の形状が正方形である。
【００１０】
前記封入部が縦５列、横１４列に配置されている。
【００１１】
前記正方形の１つの辺が３〜５ｃｍである。
【００１２】
また、本考案の袋入り安眠蒲団シートは、
前記した安眠蒲団シートを布製の袋に格納していることを特徴とする。好ましい態様は以下のとおりである。
【００１３】
前記封入部が縦１０列、横１４列に配置されるように、前記した安眠蒲団シートを２枚並置した状態で布製の袋に格納している。
【００１４】
前記袋の下面に滑り止め用の材料が塗布されている。
【考案の効果】
【００１５】
簡便な寝具を用いて深い眠りにつくことができ、その結果、寝つきがよくなり、寝起きがすっきりし、疲れをとることができる。肩こりが解消したという例もある。床からの冷え防止にも役立つ。
【考案を実施するための最良の形態】
【００１６】
図１は本考案に係る安眠蒲団シートの部分斜視図である。
【００１７】
２枚の和紙の両側から加熱されたヒートシーラーで熱圧着する。熱圧着された部分は和紙の繊維同士が絡み合い接合される。熱圧着の幅は好ましくは０．５〜１ｃｍとするが、これ以外の幅であってもよい。熱圧着するときの温度は１６０〜１６５℃であるが、和紙の種類によっては適宜この温度を変えてもよい。
【００１８】
和紙としては東レ株式会社の手すきした紙（以下、手すき和紙という。）が好ましいが、これ以外の和紙であってよい。
【００１９】
本考案に係る封入部の内部に封じ込められたトルマリン粒子、シリカゲル粒子、および脱臭剤粒子から構成されるマイナスイオン発生材料について説明する。
【００２０】
トルマリン粒子としては、通常、トルマリン原石を相当直径で０．５〜２ｍｍの大きさに砕いたものを使用する。トルマリン原石としては中国産、京都府産、山梨県産等があげられる。トルマリン原石の色としては、黒、桃色、オレンジ等が挙げられる。各種のトルマリン原石から上記のトルマリン粒子が得られる。このトルマリン粒子は高濃度のマイナスイオンを発生する。その発生は持続し、摩擦さえ生じれば、湿気とは関係なくマイナスイオンを発生する。従って、この封入部の内部に封じ込められたトルマリン粒子が摩擦しつづける状態にあれば、マイナスイオンの発生は持続する。そのためには封入部の内部にトルマリン粒子の移動を可能にするように空間を確保した状態で封じ込めるのがよい。通常、封入部の大きさは１つの辺が３〜５ｃｍの正方形であるが、例えば、４ｃｍ×４ｃｍの大きさの封入部であれは、その内部に全体で１〜２ｍｌの粒子が封入される。その中でトルマリン粒子の占める割合は通常０．５〜５％でよい。
【００２１】
シリカゲル粒子は、瞬間的に高濃度のマイナスイオンを発生させる能力を有するが、持続性がなく、また、湿気によりマイナスイオンの発生が妨げられる。主として蒲団の内部または蒲団の表面の水分を吸収するのに役立つ。他の乾燥剤、例えば、石灰石や塩化カルシウムと比べて、水分を吸収した後でも、アルカリ水溶液や塩素イオンの発生がなく、極めて安全性が高い。通常、この粒子の大きさは相当直径で０．５〜１．５ｍｍである。
【００２２】
脱臭剤粒子としては活性炭を主成分とするものと植物抽出物を主成分とするものがある。主として蒲団の内部または蒲団の表面の臭気成分を吸収するのに役立つ。通常、この粒子の大きさは相当直径で０．５〜１．５ｍｍである。例えば、キーゼルエフ株式会社のものが例示される。
【００２３】
図２は本考案の安眠蒲団シートを製造する工程の概略を示す図である。
【００２４】
（ａ）  先ず、２枚の手すき和紙（１）を準備する。
【００２５】
（ｂ）  加熱されたヒートシーラーで両側から（ａ）の手すき和紙を圧縮する。この和紙の最下端とこれに鉛直な方向に必要な本数の熱圧着部（２）を形成する。本考案のシートを横方向に長くする場合には、横方向に、この熱圧着操作を必要なだけ繰り返すことになる。
【００２６】
（ｃ）  （ｂ）で形成された封入部（３）の一端は開放された状態にある。この部分を開いて、所定の量のトルマリン粒子、シリカゲル粒子、および脱臭剤粒子を投入するための各種の粒子投入口（４）とする。この各種の粒子投入口（４）から矢印の方向に各種の粒子を投入する。投入する順序は限定されない。
【００２７】
（ｄ）  投入された前記各種の粒子の上方で、加熱されたヒートシーラーにより両側から（ａ）の手すき和紙を圧縮する。横方向に熱圧着部（２）が形成され、できあがった封入部（３）の内部に、各種の粒子投入口（４）から投入された各種の粒子が格納された状態になる。
【００２８】
（ｅ）  以下、（ｃ）と（ｄ）の操作を繰り返すことにより、図１に示したような、本考案に係る安眠蒲団シートができあがる。安眠蒲団シートとしては、該封入部が縦５列、横１４列に配置されているものが挙げられる。但し、これは単なる例示であり、これより大きくても小さくてもよい。使用者の希望に応じて大小を決めてもよい。
【００２９】
上記のようにして形成された安眠蒲団シートを布製の袋に格納する。この袋入り安眠蒲団シートは内部の安眠蒲団シートの破損を防止するのに役立つ。通常、この袋は綿布から作るのがよい。
【００３０】
布製の袋をより大きなサイズのものに変えて、その中にこの安眠蒲団シートを２枚だけ格納すれば、大人用の袋入り安眠蒲団シート（封入部は縦１０列、横１４列である）が得られる。格納する枚数は適宜変更可能である。
【００３１】
布製の袋の下面に滑り止め用の材料、例えばゴムの皮膜を形成すれば、蒲団や蒲団の上のシーツから滑らないように保持することができる。必要に応じてこの面にエンボス加工を施す。
【産業上の利用可能性】
【００３２】
ストレスの多い社会において熟睡することがこれまで以上に求められている。本考案はこの要求に答えるものであり、産業としての利用価値は大きい。
【図面の簡単な説明】
【００３３】
【図１】本考案に係る安眠蒲団シートの部分斜視図である。
【図２】本考案の安眠蒲団シートを製造する工程の概略を示す図である。
【符号の説明】
【００３４】
１    手すき和紙
２    熱圧着部
３    封入部
４    各種の粒子投入口
【図１】
0003101285.tif 000003
【図２】
0003101285.tif 000004